(57)【特許請求の範囲】
【請求項１】
シートを搬送する搬送手段と、
ケース内にセルを収納したバッテリーを着脱可能なバッテリー装着部と、
前記装着部に装着したバッテリーのケースが搬送ガイドを兼ねるシート搬送経路と、
を有し、
前記バッテリーを前記バッテリー装着部に装着したときに、前記バッテリーケースが露出するとともに、バッテリーケースの下面はシート給送口に位置し、該シート給送口から挿入されるシートの上面は前記バッテリーケースのシート搬送ガイド面にガイドされるシート搬送装置であって、
前記バッテリーの着脱方向がシート搬送方向と平行になるよう構成したことを特徴とするシート搬送装置。
【請求項２】
シートを給送して画像を処理する画像処理装置において、
シートを搬送するための請求項１に記載のシート搬送装置と、
前記搬送されるシートに記載された画像を読み取り、又は前記シートに画像を形成する画像処理手段と、
を有することを特徴とする画像処理装置。
【請求項３】
シートに記載された画像を読み取り、又は前記シートに画像を形成する画像処理手段を用いて前記シートに画像を処理する画像処理装置において、
シートを搬送するための請求項１に記載のシート搬送装置と、
前記画像処理手段を駆動させるための制御手段と、
を有することを特徴とする画像処理装置。
【請求項４】
前記画像処理手段は、信号に応じてインクを吐出してシートに記録を行うことを特徴とする請求項２又は請求項３記載の画像処理装置。
【請求項５】
前記画像処理手段は、電気熱変換体によって印加される熱エネルギーにより、インクに生ずる膜沸騰を利用して吐出口よりインクを吐出させることを特徴とする請求項４記載の画像処理装置。
【発明の詳細な説明】
【０００１】
【発明の属する技術分野】
本発明はバッテリーを装着してシートを搬送するシート搬送装置に関し、更に詳しくはバッテリーケースがシート搬送ガイドを構成するシート搬送装置及びこれを用いた画像処理装置に関する。
【０００２】
【従来の技術】
今日、ワープロやパソコン等の小型化に伴い、これらの出力機器であるプリンタや複写機、ファクシミリ装置等の記録装置も小型化されるようになってきた。特に、ノート型といわれる携帯可能なパソコン等にあっては、通常記録装置が付属してなく、外出先で情報の記録を行うためには携帯可能な記録装置が必要である。
【０００３】
そのために、例えば図６に示すように、装置全体を小型化及び軽量化すると共に、バッテリー50によって駆動可能な携帯可能な記録装置が開発されている。このように携帯可能な記録装置は、バッテリー50を装置本体51の装着部52に装着して駆動し、バッテリー50が消耗するとこれを交換可能にしている。
【０００４】
【発明が解決しようとする課題】
しかしながら、従来はバッテリーケースにセルを収納したバッテリーを製造するときの  バッテリーケースの分割部が考慮されていなかった。
【０００５】
例えば、図７に示すように、ケースを第一ケース50ａと第二ケース50ｂを結合して構成し、このケース内にセル50ｃを入れた後、ケース50ａとケース50ｂを超音波溶着や接着剤による接着、あるいは超音波溶着と接着を併用して結合一体化する。このように製造されたバッテリー50を記録装置に装着すると、図６に示すように、バッテリーの接合線50ｄがシート通過面に現れる。この接合線50ｄはシート搬送方向に対して垂直方向であるために、これに搬送されるシートが引っ掛かるおそれがあった。
【０００６】
同様の課題は  例えばバッテリーケースを射出成形で作る場合、金型の割線がシート通過面にある場合も生じる。尚、ここで割線とは、結合した金型内にプラスチックを射出成形してケースを製造する場合、ケース表面に前記金型の結合部分に沿って現れる微少凸条の線のことである。
【０００７】
また、バッテリーケースには注意書きや製造者を表示するためラベル等を接着する場合があるが、これらラベル類の端辺の段差にシートが引っ掛かる可能性がある。
【０００８】
本発明は上記課題を解決するものであり、その目的は、バッテリーケースによってガイドされるシートを引っかけることなく搬送することが可能なシート搬送装置及びこれを用いた画像処理装置を提供するものである。
【０００９】
【課題を解決するための手段】
上記目的を達成するための本発明に係る代表的な構成は、シートを搬送する搬送手段と、ケース内にセルを収納したバッテリーを着脱可能なバッテリー装着部と、前記装着部に装着したバッテリーのケースが搬送ガイドを兼ねるシート搬送経路と、を有し、前記バッテリーを前記バッテリー装着部に装着したときに、前記バッテリーケースが露出するとともに、バッテリーケースの下面はシート給送口に位置し、該シート給送口から挿入されるシートの上面は前記バッテリーケースのシート搬送ガイド面にガイドされるシート搬送装置であって、前記バッテリーの着脱方向がシート搬送方向と平行になるよう構成したことを特徴とする。
【００１６】
【発明の実施の形態】
次に本発明に係る記録装置の一実施形態について、図１乃至図５を参照して具体的に説明する。
【００１７】
尚、図１は画像処理装置の一例であるプリンタの全体構成の模式説明図であり、図２はプリンタの外観説明図、図３はバッテリーの分解説明図であり、図４はバッテリーの装着構成説明図、図５はバッテリーにラベルを貼った状態説明図である。
【００１８】
｛プリンタの全体構成｝
まず、図１及び図２を参照して本実施形態に係るプリンタの全体構成について説明すると、このプリンタはインクジェット記録方式のプリンタであり、給送口１から記録媒体であるシートＳを挿入すると、シート搬送装置を構成する搬送手段２によって記録領域へと搬送され、記録領域に設けられた画像処理手段である記録手段３によって所定画像が記録された後、機外へと排出される。
【００１９】
前記搬送手段は、挿入されたシートＳを記録領域へ搬送する搬送ローラ２ａ及びこれに圧接して従動回転するピンチローラ２ｂと記録されたシートＳを機外へと排出する排出ローラ２ｃとこれに圧接して従動回転する拍車ローラ２ｄとで構成されている。尚、前記拍車ローラ２ｄは、シートＳの記録面側に接触して回転するローラであり、シートＳとの接触面積が小さく、且つインク吐出によって画像が形成されたシート面と接触してもインク像を乱すことがないローラである。
【００２０】
また、本実施形態では記録手段３としてインクジェット記録方式を用いており、搬送されるシートＳの裏面側を支持するプラテン３ａと対向する位置にキャリッジ３ｂが設けてある。このキャリッジ３ｂはシート幅方向（シート搬送方向と直交する方向）に長いガイド軸３ｃ及びガイドレール３ｄに沿って図示しないモータによって往復移動に取り付けられ、更にキャリッジ３ｂにはインクジェット記録ヘッドとインクタンクを一体的にしたインクカートリッジ３ｅが着脱可能に搭載されている。そして、キャリッジ３ｂを移動させると共に、記録ヘッドからインクを吐出させて記録シートＳに所定画像を記録するものである。
【００２１】
前記記録ヘッドは微細な液体吐出口（オリフィス）、液路及びこの液路の一部に設けられるエネルギー作用部と、該作用部にある液体に作用させる液滴形成エネルギーを発生するエネルギー発生手段を備えている。
【００２２】
尚、本実施形態ではインクの吐出構成として、記録信号に応じて電気熱変換体に通電し、その熱エネルギーによってインクに生ずる膜沸騰を利用してインクに生ずる気泡の成長、収縮により、インクを吐出口から吐出して記録を行うように構成している。
【００２３】
また、前記記録ヘッドとシートＳの表面の距離は、搬送ローラ２ａ及び拍車ローラ２ｄの位置によって定まるために、常に一定である。
【００２４】
前記搬送手段２及び記録手段３の駆動はバッテリー４を電源として駆動し、操作パネル５からの指示に従い、コントロールボード６に設けた制御手段によって駆動される。
【００２５】
ここで、前記バッテリー４は装置本体７のバッテリー装着部８に対して着脱可能であり、消耗したときは新しいものと交換可能になっている。バッテリー４は外装であるバッテリーケース４ａに繰り返し充放電可能セル４ｂが内蔵されており、このセル４ｂは極めて薄いシート状の正極と負極とをセパレータを介して渦巻き状に巻いたものを負極缶に挿入して電解液を注入した後、安全弁等を備えた封口板を組み合わせて密閉したものである。
【００２６】
｛バッテリーの組立、装着構成｝
次に前記バッテリー４の組立及び装着構成について説明する。このバッテリーケース４ａは下ケース４ａ1 と蓋ケース４ａ2 との２部材で構成され、下ケース４ａ1 中にセル４ｂを入れた後、蓋ケース４ａ2 を被せ、両ケース４ａ1 ，４ａ2 の接合部を超音波溶着又は接着剤で、あるいは超音波溶着と接着剤を併用して一体化する。
【００２７】
前記セル４ｂは電圧や容量に応じてバッテリーケース４ａ内に必要本数が直列又は並列で収納される。なおセル４ｂの温度や電流を監視するための電気素子をバッテリーケース４ａ内部に設ける場合もある。
【００２８】
前記バッテリー４を装着するための装着部８は、図４に示すように構成されている。即ち、記録装置本体のバッテリー装着部８には片方の端部に凹部８ａと図示しない本体接点があり、対向する面にはシート搬送方向と略平行のレール８ｂとフック８ｃが設けられている。フック８ｃはバッテリーリリースレバー８ｄのスライド動作と連動して出入りするようになっており、バネによってフック８ｃは常に出た状態に付勢されている。
【００２９】
一方、バッテリー４の端部には凹部８ａに対応して段差部８ｅが設けられており、前記本体接点と結合する位置に接点８ｆが設けられている。また、反対の端部には前記レール８ｂに対応する位置に図示しない溝部と、フック８ｃに対応する位置に図示しない凹部が設けられている。
【００３０】
上記構成において、バッテリー４の段差部８ｅを凹部８ａに入れ、次にバッテリー４を回動させるようにして反対の端部の前記レール８ｂに図示しない溝部を嵌合して最後まで回転させると、フック８ｃが図示しない凹部にはまり込んで固定される。
【００３１】
尚、装置本体には図示しない押圧部材が設けられており、装着したバッテリー４を常に押し出す方向に付勢している。従って、バッテリー４を取り外すときはバッテリーリリースレバー８ｄをスライドさせてフック８ｃを後退させ、バッテリー４の対向する凹部との係合を解除すると、バッテリー４が押し出されて容易に取り外すことができる。
【００３２】
そして、バッテリー４を装着部８に装着した状態では、図１に示すように、バッテリーケース４ａの下面がシート給送口１に位置し、該給送口１から挿入されるシートＳの上ガイド部材の一部を兼ねるようになっている。即ち、給送口１からシートＳを挿入すると、そのシートＳの上面はバッテリーケース４ａのシートガイド面（下ケース４ａ1 の下面側）及び上ガイド部材９の順にガイドされ、シートＳの下面は下ガイド部材10によってガイドされて搬送ローラ対２ａ，２ｂに至り、該ローラ対２ａ，２ｂで搬送される。
【００３３】
尚、前記バッテリーケース４ａの幅は、給送されるシートＳの幅よりも大きくなるように構成されている。更に、バッテリー４を装着した状態においてバッテリーケース４ａの下面は、その下流側に位置する上ガイド部材９の上流側の下面よりも若干低くシート搬送路方向へ突出するように構成されている。このため、シートＳがバッテリーケース４ａから上ガイド部材９へとスムーズにガイドされるようになっている。
【００３４】
また、装着されたバッテリー４は、図１に示すように、下ケース４ａ1 と蓋ケース４ａ2 の結合境界線４ａ3 が上方に位置し、シートガイド面に前記結合境界線４ａ3 が位置しないようになっている。このため、ケース４ａによってガイドされるシートＳは前記結合境界線４ａ3 に引っ掛かることなく、スムーズに搬送される。
【００３５】
尚、ケース４ａをプラスチックの射出成形によって構成することも可能であるが、この場合は成形金型による割線がシートガイド面に位置しないように設計する。また、バッテリーのケース４ａには注意書きや製造者を表示するためにラベル等を貼着する場合があるが、この場合には図５に示すように、ラベル11の端辺11ａをシートガイド面以外の部分に位置する貼り付けるか、ラベル11の端辺がシート搬送方向と交わらないように貼り付ける。
【００３６】
このようにすれば、下ケース４ａ1 の下面でガイドされるシートは前記割線やラベル端辺に引っ掛かることはなく、スムーズに搬送されることになる。
【００３７】
ケース４ａの設計上、どうしても結合境界線や射出成形の金型による割線、あるいはラベルの端辺がシートガイド面に位置する場合には、該結合境界線や割線、或いはラベルの端辺がシート搬送方向と平行になるように設計する。このようにすると、例えシートガイド面にあったとしても搬送されるシートは前記結合境界線等に引っ掛かることなくスムーズに搬送されるようになる。
【００３８】
尚、仮にシートＳがジャム（紙詰まり）した場合には、バッテリー４を取り外すことにより、容易にジャム処理することができる。そして、バッテリー４の着脱はシート搬送方向と平行に行えるため、バッテリーケース４ａによって形成されるシート搬送路との平行精度を高めることが可能となるものである。
【００３９】
更に、バッテリー４がシートＳのガイドの一部を兼ねることにより、該部分で装置カバー７ａとバッテリーケース４ａとが二重になる部分が少なくなり、結果として装置の小型軽量化が図られ、更にはバッテリーケース４ａが露出するために、バッテリーの放熱効果も良好となる効果も得ることができる。
【００４０】
尚、前述した実施形態では、画像形成手段としてインクジェット記録方式を用いた例を示したが、画像形成手段はこれに限定する必要はなく、他にも熱転写記録方式や電子写真記録方式等の他の記録方式を用いることも当然可能である。
【００４１】
更には、画像処理手段としては前述したように画像形成手段のみならず、画像読取手段で構成することも可能である。即ち、シートＳとして原稿を搬送して画像処理手段としての画像読取手段で原稿記載情報を読み取る画像読取装置に対しても前記シート搬送装置は好適に用いることができる。
【００４２】
【発明の効果】
本発明は前述のように、バッテリーの着脱方向をシート搬送方向と平行になるように構成することにより、シート搬送路との平行精度を高めることが可能となる。
【図面の簡単な説明】
【図１】画像処理装置の一例であるプリンタの全体構成の模式説明図である。
【図２】プリンタの外観説明図である。
【図３】バッテリーの分解説明図である。
【図４】バッテリーの装着構成説明図である。
【図５】バッテリーにラベルを貼った状態説明図である。
【図６】バッテリーを装着して駆動する記録装置の従来例の説明図である。
【図７】従来のバッテリーの説明図である。
【符号の説明】
Ｓ    …シート
１    …給送口
２    …搬送手段
２ａ  …搬送ローラ
２ｂ  …ピンチローラ
２ｃ  …排出ローラ
２ｄ  …拍車ローラ
３    …記録手段
３ａ  …プラテン
３ｂ  …キャリッジ
３ｃ  …ガイド軸
３ｄ  …ガイドレール
３ｅ  …インクカートリッジ
４    …バッテリー
４ａ  …バッテリーケース
４ａ1 …下ケース
４ａ2 …蓋ケース
４ａ3 …結合境界線
４ｂ  …セル
５    …操作パネル
６    …コントロールボード
７    …装置本体
７ａ  …装置カバー
８    …バッテリー装着部
８ａ  …凹部
８ｂ  …レール
８ｃ  …フック
８ｄ  …リリースレバー
８ｅ  …段差部
８ｆ  …接点
９    …上ガイド部材
10    …下ガイド部材
11    …ラベル
11ａ  …端辺
【図１】
0003768661.tif 000002
【図２】
0003768661.tif 000003
【図３】
0003768661.tif 000004
【図４】
0003768661.tif 000005
【図５】
0003768661.tif 000006
【図６】
0003768661.tif 000007
【図７】
0003768661.tif 000008